(57)【要約】      （修正有）【課題】ブームの自力取付の作業性を向上させることができる移動式クレーンのブームの取り付け方法を提供する。【解決手段】機体に対し基端部がブームフットピンによって着脱可能に取り付けられる下部ブーム１６と、機体に起伏可能に設けられたマスト２５を含み下部ブームを機体に対し起伏させるブーム起伏装置とを備えたクローラクレーンにおいて、前記マストを倒伏させるとともに、このマストの先端部と地表に載置された下部ブームとを連結して、マストの起立動作に応じて下部ブームを吊上げ可能な状態とする連結工程と、機体と下部ブームとを連結する拘束工程と、マストを起立させることにより、下部ブームを吊上げる吊上げ工程とを含み、前記拘束工程では、吊上げ工程におけるマストの起立動作に応じて、下部ブームの基端部がブームフットピンによる機体への取付位置に自動的に到達するように、当該下部ブームの基端部の機体に対する移動を拘束する。【選択図】図３
2007284167.tif 000002
【特許請求の範囲】
【請求項１】
自走式の機体と、この機体の所定の取付位置に基端部が着脱可能に取り付けられるブームと、前記機体に起伏可能に設けられた起伏部材を含み前記ブームを機体に対し起伏させるブーム起伏装置とを備えた移動式クレーンの前記機体に前記起伏部材を用いて前記ブームを取り付けるための方法であって、
前記起伏部材を倒伏させるとともに、この起伏部材の先端部と地表に載置された前記ブームとを吊上げ部材を介して連結して、前記起伏部材の起立動作に応じて前記ブームを吊上げ可能な状態とする連結工程と、
前記機体と地表に載置された前記ブームとを拘束部材を介して連結することにより前記機体に対する前記ブームの相対的な移動を制限する拘束工程と、
前記起伏部材を起立させることにより、前記ブームを吊上げる吊上げ工程とを含み、
前記拘束工程では、前記吊上げ工程における起伏部材の起立動作に応じて、前記ブームの基端部が前記機体への前記取付位置に自動的に到達するように、当該ブームの基端部の前記機体に対する移動を拘束することを特徴とする移動式クレーンのブームの取り付け方法。
【請求項２】
前記拘束工程では、前記拘束部材として拘束ロープを用い、前記吊上げ工程においてブームの基端部が地表から前記取付位置へ到達するまでの範囲のうち当該取付位置から所定距離以上離れた範囲内で弛み、かつ、少なくとも前記ブームの基端部が前記取付位置に到達したときに前記機体とブームとの間で張るように、この拘束ロープの長さ寸法を設定することを特徴とする請求項１に記載の移動式クレーンのブームの取り付け方法。
【請求項３】
前記連結工程に先立って、前記ブームを機体の前方に配置する配置工程をさらに含み、前記拘束工程では、前記拘束ロープの一方の端末を前記機体に対し前記取付位置よりも前方の位置に固定するとともに、前記拘束ロープの他方の端末を地表に載置された前記ブームに固定し、前記吊上げ工程では、前記起伏部材を起立させることにより、ブームの基端部を前記拘束ロープの一方の端末の固定部分の上方を通して前記取付位置に到達させることを特徴とする請求項２に記載の移動式クレーンのブームの取り付け方法。
【請求項４】
前記連結工程では、前記起伏部材の先端部に吊上げロープの一方の端末を固定するとともに、この吊上げロープの他方の端末を地表に載置された前記ブームに直接固定することにより、前記起伏部材の先端部と前記ブームとを連結することを特徴とする請求項１〜３の何れか１項に記載の移動式クレーンのブームの取り付け方法。
【請求項５】
前記連結工程では、前記機体に取り付けられた後のブームと前記起伏部材としてのマストとを連結するためのガイロープを前記吊上げロープとして兼用することを特徴とする請求項４に記載の移動式クレーンのブームの取り付け方法。
【請求項６】
自走式の機体と、この機体の所定の取付位置に基端部が着脱可能に取り付けられるブームと、前記機体に起伏可能に設けられた起伏部材を含み前記ブームを機体に対し起伏させるブーム起伏装置とを備えた移動式クレーンに設けられ、前記機体に前記起伏部材を用いて前記ブームを取り付けるためのブーム取り付け用具であって、
前記起伏部材の先端部から垂下され、その下端と地表に載置された前記ブームとを連結した状態で前記起伏部材を起立させることにより、前記ブームを吊上げ可能な吊上げ部材と、
前記機体に設けられ、前記吊上げ動作に伴い移動するブームの基端部が前記取付位置に自動的に到達するように、当該ブームの基端部の移動を拘束する拘束部材とを備えていることを特徴とする移動式クレーンのブーム取り付け用具。
【請求項７】
前記拘束部材は、前記機体と地表に載置されたブームとを連結する拘束ロープを備え、この拘束ロープは、前記吊上げ動作においてブームの基端部が地表から前記取付位置へ到達するまでの範囲のうち当該取付位置から所定距離以上離れた範囲内で弛み、かつ、少なくとも前記ブームの基端部が前記取付位置に到達したときに前記機体とブームとの間で張った状態となる長さ寸法に設定されていることを特徴とする請求項６に記載の移動式クレーンのブーム取り付け用具。
【請求項８】
前記吊上げ部材は、前記起伏部材としてのマストを起伏させることにより当該マストの先端部に接続されたガイロープを介してブームを起伏させるように構成された前記ブーム起伏装置における前記ガイロープであることを特徴とする請求項７に記載の移動式クレーンのブーム取り付け用具。
【発明の詳細な説明】
【技術分野】
【０００１】
本発明は、クローラクレーン等の移動式クレーンに関するものである。
【背景技術】
【０００２】
従来から、自走式の機体と、この機体に対し起伏可能に装備されるブームと、これら機体とブームとの間に設けられ、前記ブームを駆動するブーム起伏装置とを備えた移動式クレーンが知られている。
【０００３】
具体的に、前記移動式クレーンには、前記ブーム起伏装置として、機体に設けられたウィンチと、このウィンチと前記ブームとの間に設けられたワイヤと、前記機体に対し起伏可能に設けられ前記ワイヤの途中部を支持するマストとを備え、前記ウィンチによるワイヤの巻上げ又は巻下げに応じてマストを起伏させることにより前記ブームを起伏させるもの（例えば、特許文献１）がある。
【０００４】
この種の移動式クレーンを用いて作業を行なう場合、作業現場までは前記ブームを機体から取り外したコンパクトな形態で搬送し、作業現場にて機体にブームを取り付けることが行われることがある。
【０００５】
ブームを機体に取り付ける際には、移動式クレーンの動力を用いて自力でブームを持ち上げて、このブームのブームフット（基端部）と機体とを貫くようにブームフットピンを挿入するようにしている。
【０００６】
具体的に、地表に載置されたブームを前記マストから垂下されたワイヤで吊り上げ、当該マストを起立させることにより、ブームを機体側へ引き寄せ、ブームフット及び機体に設けられたブームフットピン挿入用の孔を相互に位置決めするようにしている。
【特許文献１】特開２０００−１１８９５２号公報
【発明の開示】
【発明が解決しようとする課題】
【０００７】
しかしながら、従来のようにブームの自力取付を行う場合、機体に対してブームフットの高さ位置及び前後位置の双方を位置決めする必要があるが、マストによって吊り上げられたブームは、マストの起伏動作に伴いワイヤの上端部を中心としてマストに対し回動して、ブームフットの高さ位置及び前後位置が同時に変位するため、これら高さ位置及び前後位置を位置決めするためのマストの起伏位置を調整するのが困難だった。
【０００８】
そのため、従来では、マストの起伏を操作するオペレータとは別の作業者が、吊り上げられたブームフットを機体に位置決めする作業を行う必要があり、作業性が悪かった。
【０００９】
本発明は、上記課題に鑑みてなされたものであり、ブームの自力取付の作業性を向上させることができる移動式クレーンのブームの取り付け方法及びこの方法に適したブーム取り付け用具を提供することを目的としている。
【課題を解決するための手段】
【００１０】
上記課題を解決するために、本発明は、自走式の機体と、この機体の所定の取付位置に基端部が着脱可能に取り付けられるブームと、前記機体に起伏可能に設けられた起伏部材を含み前記ブームを機体に対し起伏させるブーム起伏装置とを備えた移動式クレーンの前記機体に前記起伏部材を用いて前記ブームを取り付けるための方法であって、前記起伏部材を倒伏させるとともに、この起伏部材の先端部と地表に載置された前記ブームとを吊上げ部材を介して連結して、前記起伏部材の起立動作に応じて前記ブームを吊上げ可能な状態とする連結工程と、前記機体と地表に載置された前記ブームとを拘束部材を介して連結することにより前記機体に対する前記ブームの相対的な移動を制限する拘束工程と、前記起伏部材を起立させることにより、前記ブームを吊上げる吊上げ工程とを含み、前記拘束工程では、前記吊上げ工程における起伏部材の起立動作に応じて、前記ブームの基端部が前記機体への前記取付位置に自動的に到達するように、当該ブームの基端部の前記機体に対する移動を拘束することを特徴とする移動式クレーンのブームの取り付け方法を提供する。
【００１１】
本発明に係る方法によれば、拘束工程においてブームの基端部が取付位置に到達するようにブームの基端部の移動を拘束した上で、吊上げ工程においてブームを吊上げることができるので、この吊上げ工程に伴いブームの基端部の位置決めが自動的に行なわれる。
【００１２】
したがって、本発明によれば、起伏部材を操作することでブームの位置決めも自動的にできるので、オペレータとは別の作業者が手作業で位置決めしなければならない作業法よりも作業性さらには安全性を向上することができる。
【００１３】
具体的に、前記拘束部材として拘束ロープを用い、前記吊上げ工程においてブームの基端部が地表から前記取付位置へ到達するまでの範囲のうち当該取付位置から所定距離以上離れた範囲内で弛み、かつ、少なくとも前記ブームの基端部が前記取付位置に到達したときに前記機体とブームとの間で張るように、この拘束ロープの長さ寸法を設定することができる。
【００１４】
このようにすれば、ブームの基端部が取付位置に到達したときに拘束ロープが張って、ブームの移動が拘束されるので、起伏部材の起伏に伴い自動的にブーム基端部の位置決めを行うことができる。
【００１５】
また、前記方法によれば、機体とブームとを連結するための拘束ロープといった簡易的な構成でブームの移動を拘束することができるので、移動式クレーンのコストをほとんど増加させることなく、前記ブームの位置決め機能を追加することができる。
【００１６】
さらに、前記方法のように拘束ロープを用いた場合、取付位置から所定距離以上離れた範囲においては拘束ロープを弛ませた状態を保持することができるので、例えば、剛性を有する拘束部材を用いてブームと機体とを連結することによりブームの吊上げ移動の全範囲においてブームの移動が制限される場合と異なり、ロープが弛んでいる間にはブームの移動経路の自由度を確保することができるので、過度の拘束で却って作業を阻害するのを回避することができる。
【００１７】
なお、拘束ロープが「張る」状態とは、当該ロープが張り切った状態のみを意図するものではなく、前記取付位置におけるブームと機体との取り付け作業を行う際に実質的に位置決めされた状態にあると判断することができる範囲内でのブームの移動、つまり、拘束ロープの弛みは許容する趣旨である。
【００１８】
前記拘束ロープを採用する場合、前記連結工程に先立って、前記ブームを機体の前方に配置する配置工程をさらに含み、前記拘束工程では、前記拘束ロープの一方の端末を前記機体に対し前記取付位置よりも前方の位置に固定するとともに、前記拘束ロープの他方の端末を地表に載置された前記ブームに固定し、前記吊上げ工程では、前記起伏部材を起立させることにより、ブームの基端部を前記拘束ロープの一方の端末の固定部分の上方を通して前記取付位置に到達させることが好ましい。
【００１９】
このようにすれば、起伏部材の起立動作に応じてブームの基端部が固定部の上方を通過する過程では拘束ロープが弛んだ状態となり、当該固定部を超えて支持部に到達したときに張った状態となって、ブームの基端部が前記取付位置に自動的に位置決めされる。
【００２０】
前記連結工程では、前記起伏部材の先端部に吊上げロープの一方の端末を固定するとともに、この吊上げロープの他方の端末を地表に載置された前記ブームに直接固定することにより、前記起伏部材の先端部と前記ブームとを連結することが好ましい。
【００２１】
このようにすれば、吊上げロープとブームとを直接連結するので、これら両者の連結のために吊上げロープにフック等を設ける場合と比較して、位置決め作業の作業性をより向上することができる。
【００２２】
つまり、吊上げロープにフック等を設けた場合、前記ブームの位置決め作業を行なって当該ブームを機体に取り付けた後に、フックを吊上げロープから取り外す必要が生じることになるが、ブームが機体に取り付けられた状態においては当該ブームとの位置関係から起伏部材の倒伏位置が比較的高い位置に制限されるので、フックの取り外しを高所で行うことになり作業性が悪いのに対し、前記のように吊上げロープとブームとを直接連結することにより、前記位置決め作業の後のフックの取り外し作業を省略することができるので、作業性を向上することができる。
【００２３】
そして、前記連結工程では、前記機体に取り付けられた後のブームと前記起伏部材としてのマストとを連結するためのガイロープを前記吊上げロープとして兼用することが好ましい。
【００２４】
このようにすれば、ガイロープを吊上げロープとして兼用することにより、特別な構成を追加することなくブームを吊上げることが可能となり、コスト増加を防止することができる。
【００２５】
また、本発明は、自走式の機体と、この機体の所定の取付位置に基端部が着脱可能に取り付けられるブームと、前記機体に起伏可能に設けられた起伏部材を含み前記ブームを機体に対し起伏させるブーム起伏装置とを備えた移動式クレーンに設けられ、前記機体に前記起伏部材を用いて前記ブームを取り付けるためのブーム取り付け用具であって、前記起伏部材の先端部から垂下され、その下端と地表に載置された前記ブームとを連結した状態で前記起伏部材を起立させることにより、前記ブームを吊上げ可能な吊上げ部材と、前記機体に設けられ、前記吊上げ動作に伴い移動するブームの基端部が前記取付位置に自動的に到達するように、当該ブームの基端部の移動を拘束する拘束部材とを備えていることを特徴とする移動式クレーンのブーム取り付け用具を提供する。
【００２６】
本発明に係るブーム取り付け用具によれば、ブーム基端部が取付位置に到達するようにブームの基端部の移動を拘束することができるので、起伏部材の起伏に伴いブームの基端部の位置決めが自動的に行なわれる。
【００２７】
したがって、本発明によれば、起伏部材を操作することでブームの位置決めも自動的に行うことができるので、オペレータとは別の作業者が手作業で位置決めしなければならない作業法よりも作業性さらには安全性を向上することができる。
【００２８】
具体的に、前記拘束部材は、前記機体と地表に載置されたブームとを連結する拘束ロープを備え、この拘束ロープは、前記吊上げ動作においてブームの基端部が地表から前記取付位置へ到達するまでの範囲のうち当該取付位置から所定距離以上離れた範囲内で弛み、かつ、少なくとも前記ブームの基端部が前記取付位置に到達したときに前記機体とブームとの間で張った状態となる長さ寸法に設定されていることが好ましい。
【００２９】
このようにすれば、ブームの基端部が取付位置に到達したときに拘束ロープが張って、ブームの移動が拘束されるので、起伏部材の起伏に伴い自動的にブーム基端部の位置決めを行うことができる。
【００３０】
そして、前記吊上げ部材は、前記起伏部材としてのマストを起伏させることにより当該マストの先端部に接続されたガイロープを介してブームを起伏させるように構成された前記ブーム起伏装置における前記ガイロープであることが特に好ましい。
【００３１】
このようにすれば、ガイロープを吊上げ部材として兼用することにより、特別な構成を追加することなくブームを吊上げることが可能となり、コスト増加を防止することができる。
【発明の効果】
【００３２】
本発明によれば、ブームの自力取付の作業性を向上させることができる。
【発明を実施するための最良の形態】
【００３３】
以下、本発明の好ましい実施形態について図面を参照して説明する。
【００３４】
図１は、本発明の実施形態に係るクローラクレーンの全体構成を示す側面図である。図２は、図１のクローラクレーンの平面図である。図３は、図２のIII−III線断面図である。
【００３５】
各図を参照して、移動式クレーンの一例としてのクローラクレーン１は、自走式の機体２と、この機体２に対し起伏可能に搭載されたジブ３と、このジブ３を機体２に対し起伏させるブーム起伏装置４と、吊上げロープ５（図３参照）と、拘束ロープ６（図３参照）とを備えている。
【００３６】
機体２は、左右一対のクローラ７ａを有する下部走行体７と、この下部走行体７上に旋回可能に設けられた上部旋回体８とを備えている。
【００３７】
下部走行体７は、各クローラ７ａを保持するクローラフレーム９を備え、このクローラフレーム９に挟まれたカーボディには、前方へ突出するカーボディウェイト１０が設けられている。カーボディウェイト１０には、図３に示すように、後述する拘束ロープ６が連結されるブラケット（固定部）１１が立設されている。
【００３８】
上部旋回体８は、前記下部走行体７上に旋回可能に装着された旋回フレーム１２を備えている。この旋回フレーム１２の前部には、左右一対のブームフット取付部１４（図３では１枚のみ示している）が形成され、これらブームフット取付部１４と当該両ブームフット取付部１４間に配置された前記ジブ３の基端部とを左右で各々回動自在に固定するブームフットピン１５によって、ジブ３が旋回フレーム１２に対し起伏可能に取り付けられている。なお、ブームフットピン１５によるジブ３の取付位置は、前記ブラケット１１よりも後方に配置されている。
【００３９】
ジブ３は、下部ブーム１６と、この下部ブーム１６の先端部に連結された上部ブーム１７とを備え、下部ブーム１６の基端部が前記ブームフットピン１５によって前記旋回フレーム１２に着脱可能に取り付けられている。
【００４０】
なお、本実施形態では、下部ブーム１６及び上部ブーム１７により形成されたジブ３について示しているが、ジブ３は、ブーム１６、１７の間に中間ブームを備えた長尺のものでもよい。
【００４１】
また、ジブ３には、先端部のシーブ１７ａ及びシーブ１７ｂを介してワイヤロープ１８が掛け渡され、このワイヤロープ１８がウィンチ１９によって巻上げ又は巻下げされることにより、上部ブーム１７から垂下されたフック２０が昇降するようになっている。
【００４２】
前記下部ブーム１６には、バックストップ２１が設けられている。このバックストップ２１は、図５に示すように、一端が下部ブーム１６に揺動可能に軸支されたストッパ本体２２と、このストッパ本体２２の揺動位置を規制するサポート２３と、このサポート２３を保持するブラケット（連結部）２４とを備えている。
【００４３】
ストッパ本体２２は、図５の実線で示す起立位置と二点鎖線で示す倒伏位置との間で下部ブーム１６に対し揺動可能されている。
【００４４】
サポート２３は、前記起立位置とされたストッパ本体２２とブラケット２４との間で、ストッパ本体２２の突っ張り棒として機能するようになっている。
【００４５】
このように起立位置とされたストッパ本体２２は、図１に示すように、その先端部が後述するガントリ２９に設けられたストッパ受け部２９ａと当接することにより、ジブ３を所定の起立位置で当たり止めするようになっている。
【００４６】
また、前記ブラケット２４は、後述する吊上げロープ５の下端を連結することが可能とされている。
【００４７】
ブーム起伏装置４は、上部旋回体８に起伏可能に設けられたマスト（起伏部材）２５と、このマスト２５と前記ジブ３の先端部とを連結するガイロープ２６と、上部旋回体８に設けられたウィンチ２７と、前記マスト２５とウィンチ２７との間に配索されるワイヤロープ２８の途中部を支持するガントリ２９とを備えている。
【００４８】
そして、ブーム起伏装置４は、ウィンチ２７によるワイヤロープ２８の巻上げ又は巻下げによってマスト２５を上部旋回体８に対し起伏させることにより、当該マスト２５に対しガイロープ２６を介して連結されたジブ３を上部旋回体８に対し起伏させる。
【００４９】
また、図４に示すように、ブーム起伏装置４は、前記ジブ３を上部旋回体８から取り外した状態で、前記マスト２５の先端部に設けられたシーブ２５ａを介してワイヤロープ３０を掛け渡し、このワイヤロープ３０を上部旋回体８に設けられたウィンチ３１によって巻上げ又は巻下げ操作することにより、マスト２５の先端部から垂下されたフック２０を昇降させることもできる。
【００５０】
図３を参照して、吊上げロープ５は、その一端が前記マスト２５の先端部に着脱可能とされている。具体的に、吊上げロープ５は、前記シーブ２５ａの回転中心にその一端が固定された状態で垂下されている。
【００５１】
この吊上げロープ５の下端は、図３に示すように、前記下部ブーム１６のブラケット２４に連結することが可能とされ、この連結状態でマスト２５を起立させることにより、下部ブーム１６を吊上げることができる。
【００５２】
一方、拘束ロープ６は、前記カーボディウェイト１０のブラケット１１に一端が固定されたロープである。この拘束ロープ６は、具体的には後述するように、前記マスト２５の起立動作によって下部ブーム１６を吊上げた際に、当該下部ブーム１６の基端部が前記ブームフットピン１５による旋回フレーム１２に対する取付位置に到達するように、その長さ寸法が設定されている。
【００５３】
以下、前記クローラクレーン１の上部旋回体８に対しジブ３を取り付ける際の作業手順について説明する。
【００５４】
まず、作業の前準備として、図４に示すように、マスト２５にフック２０及びワイヤロープ３０を装着し、このフック２０によって、図５に示すように、バックストップ２１のストッパ本体２２を引き上げて、当該ストッパ本体２２をサポート２３によって起立位置で固定する。
【００５５】
次に、下部ブーム１６の基端部を機体２側に向けた姿勢で当該下部ブーム１６を機体２の前方に載置する（載置工程）。そして、図３に示すように、この下部ブーム１６の基端部とブラケット１１とを拘束ロープ６によって連結する（拘束工程）。
【００５６】
そして、前記フック２０及びワイヤロープ３０をマスト２５から取り外すとともに、このマスト２５に吊上げロープ５の一端を装着し、この吊上げロープ５の下端を下部ブーム１６のブラケット２４に固定する（連結工程）。
【００５７】
この状態で、マスト２５を起立させることにより、下部ブーム１６が吊上げられながら機体２側へ移動することになる（吊上げ工程）が、この移動の過程では、図３の吊上げ状態Ａに示すように、前記機体２の前方に突出したブラケット１１に対し下部ブーム１６が近接する方向に移動することになるので、前記拘束ロープ６は弛んだ状態となる。
【００５８】
さらにマスト２５が起立して下部ブーム１６の基端部がブラケット１１の上方を通過すると、下部ブーム１６がブラケット１１から離間する方向に移動することになるので、吊上げ状態Ｂに示すように拘束ロープ６は徐々に張り始め、終には、吊上げ状態Ｃに示すように張り切った状態となる。
【００５９】
これにより、下部ブーム１６の基端部の移動が拘束される結果、当該下部ブーム１６に形成された孔１６ａと、各ブームフット取付部１４に形成された孔１４ａとが側面視において合致して、これら両孔１４ａ、１６ａにブームフットピン１５が挿入可能となる。
【００６０】
そして、ブームフットピン１５を挿入して下部ブーム１６を旋回フレーム１２に取り付けた後、マスト２５を倒伏させることにより下部ブーム１６の先端部を前に倒し、当該下部ブーム１６の先端部をその前方に載置された上部ブーム１７に対し連結する。
【００６１】
以上説明したように、前記実施形態によれば、下部ブーム１６の基端部がブームフットピン１５による取付位置に到達するように下部ブーム１６の基端部の移動を拘束した上でブームを吊上げることができるので、マスト２５の起伏に伴い下部ブーム１６の基端部の位置決めが自動的に行なわれる。
【００６２】
したがって、前記実施形態によれば、マスト２５を操作することで下部ブーム１６の位置決めも自動的にできるので、オペレータとは別の作業者が手作業で位置決めしなければならない作業法よりも作業性さらには安全性を向上することができる。
【００６３】
具体的に、前記実施形態では、下部ブーム１６の基端部がブームフットピン１５による取付位置に到達したときに拘束ロープ６が張って下部ブーム１６の移動が拘束されるので、マスト２５の起伏に伴い自動的に下部ブーム１６の基端部の位置決めを行うことができる。
【００６４】
そして、前記のように拘束ロープ６といった簡易的な構成で下部ブーム１６の移動を拘束することができるので、クローラクレーン１のコストをほとんど増加させることなく、下部ブーム１６の位置決め機能を追加することができる。
【００６５】
拘束ロープ６を採用する場合には、具体的に、ブラケット１１の前方で地表に載置された下部ブーム１６と吊上げロープ５とが連結された状態でマスト２５をブームフットピン１５回りに起立させることにより、下部ブーム１６の基端部をブラケット１１の上方を通過してブームフット取付部１４に到達させることができる。
【００６６】
このようにすれば、マスト２５の起立動作に応じて下部ブーム１６の基端部がブラケット１１の上方を通過する過程では拘束ロープ６が弛んだ状態となり、当該ブラケット１１を超えてブームフット取付部１４に到達したときに張った状態となる。
【００６７】
なお、位置決め機能を追加するための構成としては前記拘束ロープ６に限定されることはなく、マスト２５の起伏に応じて下部ブーム１６の基端部の移動を拘束できる他の構成を採用することもできる。例えば、前記旋回フレーム１２に対し前方へ延びるレールを形成し、このレールと下部ブームとを連結することにより、マスト２５の起立動作に伴い下部ブーム１６の基端部をレールに沿ってブームフットピン１５による取付位置まで導くようにすることもできる。
【００６８】
一方、前記吊上げロープ５を直接連結可能なブラケット２４を備えた前記実施形態によれば、吊上げロープ５と下部ブーム１６とを直接連結することができるので、これら両者の連結のためにフック２０等を設ける場合と比較して、位置決め作業と、前記連結工程における吊上げロープ５、フック２０及びワイヤロープ３０の取付け、取外し作業との作業性をより向上させることができる。
【００６９】
つまり、吊上げロープ５にフック２０を設けた場合、下部ブーム１６の位置決め作業を行なって当該下部ブーム１６に取り付けた後、フック２０を吊上げロープ５から取り外す必要が生じることになるが、下部ブーム１６に取り付けられた状態においては当該下部ブーム１６との位置関係からマスト２５の倒伏位置が比較的高い位置に制限されるので、フック２０の取り外しを高所で行うことになり作業性が悪いのに対し、吊上げロープ５と下部ブーム１６とを直接連結可能な構成とすることによりフック２０の取り外し作業を省略することができるので作業性を向上することができる。
【００７０】
なお、前記実施形態では、図５に示すように、フック２０を用いてバックストップ２１のストッパ本体２２の引き上げ作業を行う方法について説明したが、この引き上げ作業時においても吊上げロープ５をストッパ本体２２に直接連結して行うことにより、上述した下部ブーム１６の自力取付の一連の作業において、フック２０の使用を排除することができるので、フック２０の取り付け及び取り外しの作業を省略してより作業性を向上することができる。
【００７１】
また、前記実施形態では、吊上げロープ５を別途設けたクローラクレーン１について説明したが、クローラクレーン１に常備されたガイロープ２６を前記吊上げロープ５として兼用することもできる。
【００７２】
このようにすれば、吊上げロープ５のような特別な構成を追加することなく下部ブーム１６を吊上げることが可能となり、コスト増加を防止することができる。
【図面の簡単な説明】
【００７３】
【図１】本発明の実施形態に係るクローラクレーンの全体構成を示す側面図である。
【図２】図１のクローラクレーンの底面図である。
【図３】図２のIII−III線断面図である。
【図４】図１のクローラクレーンにおいてジブを取り外した状態を示す側面図である。
【図５】バックストップのストッパ本体の引き上げ作業を示す側面図である。
【符号の説明】
【００７４】
１    クローラクレーン（移動式クレーン）
２    機体
３    ジブ（ブーム）
４    ブーム起伏装置
５    吊上げロープ
６    拘束ロープ
１１    ブラケット（固定部）
１４    縦板（取付部）
１５    ブームフットピン（起伏軸）
１６    下部ブーム
１７    上部ブーム
２４    ブラケット（連結部）
２５    マスト（起伏部材）
２６    ガイロープ（吊上げロープの一例）
２９    ガントリ
【図１】
2007284167.tif 000003
【図２】
2007284167.tif 000004
【図３】
2007284167.tif 000005
【図４】
2007284167.tif 000006
【図５】
2007284167.tif 000007